(57)【要約】      （修正有）【課題】様々なユーザが、コミュニティでの意見交換を継続できる新たなシステムを提供する。【解決手段】表示制御装置１０は、ユーザ情報記憶部、ポイント付与部、関与度レベル決定部、受信部および出力部を有する。ユーザ情報記憶部は、ユーザごとに、コミュニティへの投稿に対する関与情報、ポイント付与部により付与されるポイント情報、関与度レベル決定部により決定される関与度レベルおよび投稿の受信を認容する関与度レベルの任意の閾値を記憶する。ポイント付与部はユーザごとにユーザの関与情報に対してコミュニティへの関与を示すポイントを付与する。関与度レベル決定部は、ユーザに付与された合計ポイントからユーザのコミュニティへの関与度レベルを決定する。受信部は、投稿ユーザから投稿を受信する。出力部は、投稿の受信を認容する関与度レベルの閾値が投稿ユーザの関与度レベルを満たすユーザに対して、投稿ユーザからの投稿を出力する。【選択図】図１
2019175329.tif 000002
【特許請求の範囲】
【請求項１】
ユーザ情報記憶部、ポイント付与部、関与度レベル決定部、受信部、および出力部を有し、
前記ユーザ情報記憶部は、
ユーザごとに、コミュニティへの投稿に対する関与情報、前記ポイント付与部により付与されるポイント情報、前記関与度レベル決定部により決定される関与度レベル、および、投稿の受信を認容する関与度レベルの任意の閾値を記憶し、
前記ポイント付与部は、
前記ユーザごとに、前記ユーザの関与情報に対して、前記コミュニティへの関与を示すポイントを付与し、
前記関与度レベル決定部は、
前記ユーザに付与された合計ポイントから、前記ユーザのコミュニティへの関与度レベルを決定し、
前記受信部は、
投稿ユーザから投稿を受信し、
前記出力部は、
投稿の受信を認容する関与度レベルの前記閾値が前記投稿ユーザの関与度レベルを満たすユーザに対して、前記投稿ユーザからの投稿を出力する
ことを特徴とする投稿の表示制御装置。
【請求項２】
前記関与情報が、他のユーザの投稿の既読、他のユーザの質問への回答、および前記回答に対する他のユーザからの良評価、前記ユーザの投稿回数、前記ユーザの投稿内容からなる群から選択された少なくとも一つを含む、請求項１記載の表示制御装置。
【請求項３】
前記ポイント付与部は、前記関与情報の種類に応じて、ポイントの重み付けを行う、請求項１または２記載の表示制御装置。
【請求項４】
前記投稿の受信を認容する関与度レベルの任意の閾値が、そのユーザの関与度レベルである、請求項１から３のいずれか一項に記載の表示制御装置。
【請求項５】
ポイント付与工程、関与度レベル決定工程、受信工程、および出力工程を有し、
前記ポイント付与工程は、
ユーザごとに、コミュニティへの投稿に対する関与情報に対して、前記コミュニティへの関与を示すポイントを付与し、
前記関与度レベル決定工程は、
前記ユーザに付与された合計ポイントから、前記ユーザのコミュニティへの関与度レベルを決定し、
前記受信工程は、
投稿ユーザから投稿を受信し、
前記出力工程は、投稿の受信を認容する関与度レベルの前記閾値が、前記投稿ユーザの関与度レベルを満たすユーザに対して、前記投稿ユーザからの投稿を出力する
ことを特徴とする投稿の表示制御方法。
【請求項６】
前記関与情報が、他のユーザの投稿の既読、他のユーザの質問への回答、および前記回答に対する他のユーザからの良評価、前記ユーザの投稿回数、前記ユーザの投稿内容からなる群から選択された少なくとも一つを含む、請求項５記載の表示制御方法。
【請求項７】
前記ポイント付与部は、前記関与情報の種類に応じて、ポイントの重み付けを行う、請求項５または６記載の表示制御方法。
【請求項８】
前記投稿の受信を認容する関与度レベルの任意の閾値が、そのユーザの関与度レベルである、請求項７記載の表示制御方法。
【請求項９】
請求項５から８のいずれか一項に記載の投稿の表示制御方法をコンピュータに実行させることを特徴とするプログラム。
【請求項１０】
請求項９記載のプログラムを記録したコンピュータ読み取り可能な記録媒体。
【発明の詳細な説明】
【技術分野】
【０００１】
本発明は、投稿の表示制御装置、表示制御方法、プログラム、および記録媒体に関する。
【背景技術】
【０００２】
ＳＮＳ等のコミュニティにおいては、様々なユーザが共通の話題について意見交換を行っている。しかし、多くの意見交換が行われてコミュニティ内の会話が活性化しているように見えても、実際には、興味をもって参加したユーザが意見交換を継続できず、長く参加していたユーザが参加をやめてしまったり、結果的に特定のユーザのみでの会話にとどまってしまう場合がある。
【発明の概要】
【発明が解決しようとする課題】
【０００３】
そこで、本発明は、様々なユーザが、コミュニティでの意見交換を継続できる新たなシステムの提供を目的とする。
【課題を解決するための手段】
【０００４】
前記目的を達成するために、本発明の投稿の表示制御装置は、
ユーザ情報記憶部、ポイント付与部、関与度レベル決定部、受信部、および出力部を有し、
前記ユーザ情報記憶部は、
ユーザごとに、コミュニティへの投稿に対する関与情報、前記ポイント付与部により付与されるポイント情報、前記関与度レベル決定部により決定される関与度レベル、および、投稿の受信を認容する関与度レベルの任意の閾値を記憶し、
前記ポイント付与部は、
前記ユーザごとに、前記ユーザの関与情報に対して、前記コミュニティへの関与を示すポイントを付与し、
前記関与度レベル決定部は、
前記ユーザに付与された合計ポイントから、前記ユーザのコミュニティへの関与度レベルを決定し、
前記受信部は、
投稿ユーザから投稿を受信し、
前記出力部は、
投稿の受信を認容する関与度レベルの前記閾値が前記投稿ユーザの関与度レベルを満たすユーザに対して、前記投稿ユーザからの投稿を出力する
ことを特徴とする。
【０００５】
本発明の投稿の表示制御方法は、
ポイント付与工程、関与度レベル決定工程、受信工程、および出力工程を有し、
前記ポイント付与工程は、
ユーザごとに、コミュニティへの投稿に対する関与情報に対して、前記コミュニティへの関与を示すポイントを付与し、
前記関与度レベル決定工程は、
前記ユーザに付与された合計ポイントから、前記ユーザのコミュニティへの関与度レベルを決定し、
前記受信工程は、
投稿ユーザから投稿を受信し、
前記出力工程は、投稿の受信を認容する関与度レベルの前記閾値が、前記投稿ユーザの関与度レベルを満たすユーザに対して、前記投稿ユーザからの投稿を出力する
ことを特徴とする。
【０００６】
本発明のプログラムは、前記本発明の投稿の表示制御方法をコンピュータに実行させることを特徴とする。
【０００７】
本発明の記録媒体は、前記本発明のプログラムを記録したコンピュータ読み取り可能な記録媒体である。
【発明の効果】
【０００８】
本発明によれば、様々なユーザが、コミュニティでの意見交換を継続できる。
【図面の簡単な説明】
【０００９】
【図１】図１は、実施形態１の表示制御装置の一例を示すブロック図である。
【図２】図２は、実施形態１の表示制御装置の使用形態の例を示す概略図である。
【図３】図３は、実施形態１の表示制御装置の一例を示すブロック図である。
【図４】図４は、実施形態１の表示制御方法の一例を示すフローチャートである。
【発明を実施するための形態】
【００１０】
前述のような課題について、本発明者らは、鋭意研究の結果、そのコミュニティにおける知識等のレベルがユーザ間で異なることが、ユーザのコミュニティ参加への満足度を下げ、会話を継続できない一因となっているとの知見を得た。すなわち、前記レベルがユーザ間で異なることにより、例えば、コミュニティでの話題について、前記レベルが高い人は、前記レベルが低い人の初心者的な質問や意見をつまらなく思う、前記レベルが低い人は、前記レベルが高い人の専門的な話についていけず、つまらなく思う、質問に対する回答を知っているが、初歩的すぎて回答したくない、および、質問に対する回答が、専門的すぎて、回答が理解できない、等の問題が生じていることがわかった。そして、このことから、コミュニティにおけるユーザのレベルに応じて、前記コミュニティへの投稿を表示または非表示とすることにより、ユーザごとに、適した投稿を表示でき、前記ユーザ間のレベルの違いに起因する問題を解消可能であることを見いだすに至った。本発明によれば、前記ユーザの関与度レベルを、コミュニティの投稿に対する関与情報に基づき決定し、前記関与度レベルに応じて、前記投稿の表示を制御できる。このため、前記ユーザに対し、適した投稿を表示でき、これにより、前記ユーザの前記コミュニティでの会話を継続させることができる。
【００１１】
本発明の実施形態について説明する。なお、本発明は、以下の実施形態には限定されない。なお、以下の各図において、同一部分には、同一符号を付している。また、各実施形態の説明は、特に言及がない限り、互いの説明を援用できる。さらに、各実施形態の構成は、特に言及がない限り、組合せ可能である。
【００１２】
［実施形態１］
図１は、本実施形態の表示制御装置１０の一例の構成を示すブロック図である。表示制御装置１０は、ユーザ情報記憶部１１、ポイント付与部１２、関与度レベル決定部１３、受信部１４、および出力部１５を有する。表示制御装置１０は、例えば、表示システムともいう。
【００１３】
表示制御装置１０は、例えば、図２に示すように、複数のユーザ端末２０と、通信回線網３０を介して、接続可能である。端末２０は、例えば、ディスプレイを備える端末が好ましく、具体例として、携帯電話、スマートフォン、タブレット、ＰＣ、ウェアラブル端末等があげられる。通信回線網３０は、特に制限されず、公知のネットワークを使用でき、例えば、有線でも無線でもよい。通信回線網３０は、例えば、インターネット回線、電話回線、ＬＡＮ（Local  Area  Network）、ＷｉＦｉ（Wireless  Fidelity）等があげられる。本実施形態における表示システムは、例えば、表示制御装置１０とユーザ端末２０とを含んでもよい。
【００１４】
表示制御装置１０は、例えば、前記各部を含む１つの表示制御装置でもよいし、前記各部が、通信回線網を介して接続可能な表示制御装置であってもよい。
【００１５】
さらに、図３に、表示制御装置１０のハードウエア構成のブロック図を例示する。表示制御装置１０は、例えば、ＣＰＵ（中央処理装置）１０１、メモリ１０２、インターフェイス（Ｉ／Ｆ）１０３、入力装置１０４、ディスプレイ１０５、通信デバイス１０６、記憶装置１０７等を有する。表示制御装置１０の各部は、例えば、Ｉ／Ｆ１０３を介して、接続されている。前記ハードウエア構成において、内部での回路間の通信は、バスによって接続される。
【００１６】
ＣＰＵ１０１は、表示制御装置１０の全体の制御を担う。表示制御装置１０において、ＣＰＵ１０１により、例えば、本発明のプログラムやその他のプログラムが実行され、また、各種情報の読み込みや書き込みが行われる。具体的に、表示制御装置１０は、例えば、ＣＰＵ１０１が、ポイント付与部１２、および関与度レベル決定部１３として機能する。
【００１７】
Ｉ／Ｆ１０３は、例えば、ＣＰＵ１０１、メモリ１０２等のそれぞれの機能部間を接続する。Ｉ／Ｆ１０３は、例えば、外部機器とも接続できる。前記外部機器は、例えば、前述の端末２０等があげられる。表示制御装置１０は、Ｉ／Ｆ１０３に接続された通信デバイス１０６により、通信回線網に接続でき、前記通信回線網を介して、前記外部機器と接続することもできる。
【００１８】
メモリ１０２は、例えば、メインメモリを含み、前記メインメモリは、主記憶装置ともいう。ＣＰＵ１０１が処理を行う際には、例えば、後述する補助記憶装置に記憶されている、本発明のプログラム等の種々の動作プログラム１０８を、メモリ１０２が読み込み、ＣＰＵ１０１は、メモリ１０２からデータを受け取って、プログラム１０８を実行する。前記メインメモリは、例えば、ＲＡＭ（ランダムアクセスメモリ）である。メモリ１０２は、例えば、さらに、ＲＯＭ（読み出し専用メモリ）を含む。
【００１９】
記憶装置１０７は、例えば、前記メインメモリ（主記憶装置）に対して、いわゆる補助記憶装置ともいう。記憶装置１０７は、例えば、記憶媒体と、前記記憶媒体に読み書きするドライブとを含む。前記記憶媒体は、特に制限されず、例えば、内蔵型でも外付け型でもよく、ＨＤ（ハードディスク）、ＦＤ（フロッピー（登録商標）ディスク）、ＣＤ−ＲＯＭ、ＣＤ−Ｒ、ＣＤ−ＲＷ、ＭＯ、ＤＶＤ、フラッシュメモリー、メモリーカード等があげられ、前記ドライブは、特に制限されない。記憶装置１０７は、例えば、記憶媒体とドライブとが一体化されたハードディスクドライブ（ＨＤＤ）も例示できる。記憶装置１０６には、例えば、前述のように、動作プログラム１０８が格納される。また、記憶装置１０７は、例えば、ユーザ情報記憶部１１であり、各ユーザの、他のユーザの投稿に対する関与情報、ポイント情報、関与度レベル、および表示レベル、ならびに、コミュニティへの投稿情報等のデータが格納されてもよい。
【００２０】
表示制御装置１０は、例えば、さらに、入力装置１０４、ディスプレイ１０５を有する。入力装置１０４は、例えば、タッチパネル等である。ディスプレイ１０５は、例えば、出力部１５となる。ディスプレイ１０５は、ＬＥＤディスプレイ、液晶ディスプレイ等があげられる。
【００２１】
ユーザ情報記憶部１１は、ユーザごとに、コミュニティへの投稿に対する関与情報、ポイント付与部１２により付与されるポイント情報、関与度レベル決定部１３により決定される関与度レベル、および、後述する、投稿の受信を認容する関与度レベルの任意の閾値を記憶する。前記関与情報は、特に制限されず、例えば、他のユーザの投稿の既読、他のユーザの質問への回答、および前記回答に対する他のユーザからの良評価、前記ユーザの投稿回数、前記ユーザの投稿内容等があげられる。前記他のユーザからの良評価は、例えば、回答に感謝するコメント、回答を褒めるコメント、「いいね！」の提示等である。
【００２２】
前記関与情報は、例えば、受信部１４において受信した投稿内容をそのまま用いてもよいし、前記コミュニティサイトに対するログ情報から取得してもよい。前記ログ情報は、例えば、表示制御装置１０のユーザ情報記憶部１１等の記憶装置に記憶されてもよいし、外部サーバに蓄積されてもよく、後者の場合、表示制御装置１０は、例えば、前記外部サーバから前記ログ情報を取得してもよい。前記関与情報が、他のユーザへの回答の場合、例えば、他のユーザの質問投稿への返信投稿であれば、内容にかかわらず、回答としてもよいし、また、投稿のテキストデータに基づいて、自然言語処理を行うことにより、質問に対する回答か否かを判定してもよい。本発明は、コミュニティへの関与度レベルを利用して、投稿の出力を制御することがポイントであって、例えば、前記関与情報が、実際に回答であるか否かの精度は、特に制限されない。
【００２３】
ポイント付与部１２は、前記ユーザごとに、前記ユーザの関与情報に対して、前記コミュニティへの関与を示すポイントを付与する。ポイント付与部１２は、例えば、前記関与情報の種類に応じて、ポイントの重み付けを行ってもよい。前記重み付けは、例えば、任意で設定でき、前記ポイントの付与において、重要性の高い関与情報には、相対的に大きな重み付けを設定し、重要性の低い関与情報には、相対的に小さな重み付けを設定してもよい。具体的には、例えば、前記関与情報が、前記他のユーザの投稿の既読、前記他のユーザの質問への回答、および前記回答に対する他のユーザからの良評価である場合、それぞれ、１ポイント、２ポイント、３ポイント等を付与してもよい。なお、これはあくまでも例示であって、本発明を制限するものではない。
【００２４】
関与度レベル決定部１３は、前記ユーザに付与された合計ポイントから、前記ユーザのコミュニティへの関与度レベルを決定する。前記関与度レベルは、例えば、前記ユーザが保有する前記ポイントが多いほど、高いレベルになるように決定することができる。前記関与度レベルにおけるレベルの数は、例えば、２〜１０００つである。具体的には、例えば、前記関与度レベルの数が５つである場合、前記ポイント情報が０〜１０ポイントであるユーザの関与度レベルをレベル１、前記ポイント情報が１１〜２０ポイントであるユーザの関与度レベルをレベル２、前記ポイント情報が２１〜３０ポイントであるユーザの関与度レベルをレベル３、前記ポイント情報が３１〜４０ポイントであるユーザの関与度レベルをレベル４、前記ポイント情報が４１〜５０ポイント以上であるユーザの関与度レベルをレベル５等に設定できる。関与度レベル決定部１３は、例えば、１人の前記ユーザに対し、複数の前記関与度レベルを決定してもよい。具体的には、例えば、複数の前記コミュニティにおける前記ユーザの前記関与度レベルを、個別に決定してもよいし、１つの前記コミュニティにおいて、前記ユーザの前記関与度レベルを、カテゴリごとに決定してもよい。前記カテゴリは、例えば、前記コミュニティにおける話題により分類できる。
【００２５】
受信部１４は、投稿ユーザからの投稿を受信する。出力部１５は、投稿の受信を認容する関与度レベルの前記閾値が前記投稿ユーザの関与度レベルを満たすユーザに対して、前記投稿ユーザからの投稿を出力する。出力部１５による前記投稿の出力は、例えば、前記外部端末に対して行われ、また、表示制御装置１０がディスプレイ１０６を有する場合は、ディスプレイに出力してもよい。前記投稿の出力は、例えば、通信回線網を介した出力でもよく、その場合、出力部１５は、例えば、送信部ともいう。
【００２６】
前記閾値は、前述のように、ユーザ情報記憶部１１において、ユーザごとに紐づけて記憶させておく。この閾値を設定しておくことによって、表示制御装置１０が投稿ユーザから投稿を受信した際、前記投稿ユーザの関与度レベルと、投稿の受信を許容する関与度レベルの閾値とから、投稿の出力先を制限することができる。これによって、前述のように、ユーザは、例えば、そのユーザが許容するレベルの投稿のみを受信することができる。
【００２７】
前記閾値は、例えば、前記投稿の受信を認容する関与度レベルの上限でもよいし、下限でもよいし、上限および下限でもよい。ここで、投稿ユーザをユーザＰ、投稿を受信するユーザをユーザＲとして、投稿の出力の制御について、説明する。ユーザＲの下限の閾値が、関与度レベルＬ１に設定されている場合、ユーザＲに対しては、関与度レベルＬ１以上の投稿ユーザＰの投稿が出力され、ユーザＲの上限の閾値が、関与度レベルＬ５に設定されている場合、ユーザＲに対しては、関与度レベルＬ５以下の投稿ユーザＰの投稿が出力され、ユーザＲの閾値が、関与度レベルＬ１〜Ｌ５の範囲で設定されている場合、ユーザＲに対しては、関与度レベルＬ１〜Ｌ５の投稿ユーザＰの投稿が出力される。
【００２８】
前記閾値は、任意であり、例えば、予め、デフォルトで設定してもよいし、ユーザが任意に設定してもよい。前記閾値をデフォルトで設定する場合、例えば、ユーザＲの自らの関与度レベルに設定してもよい。このように設定することで、例えば、ユーザＲがコミュニティへの参加において、レベルが低いと感じれば、下限の閾値をより高く設定し、レベルが高いと感じれば、上限の閾値をより低く設定することで、ユーザＲが自分に適した投稿の受信を選択していくこともできる。
【００２９】
また、ユーザＲが、コミュニティにおいてベテランのユーザ（前記関与度レベルが高いユーザ）であり、つまらない等の理由から、初心者のユーザ（前記関与度レベルが低いユーザ）からの投稿を受信したくない場合は、閾値の下限を、相対的に高く設定することで、関与度レベルが、前記下限に満たない投稿ユーザＰからの投稿を非表示とすることができる。また、ベテランのユーザであっても、初心者のユーザとのコミュニケーションを望んでいる場合は、閾値の下限を設定しない、または、閾値の下限を相対的に低く設定することで、初心者のユーザからの投稿を表示することができる。一方、ユーザＲが、コミュニティにおいて初心者のユーザ（前記関与度レベルが低いユーザ）であり、内容についていけない等の理由から、ベテランのユーザ（前記関与度レベルが高いユーザ）からの投稿を受信したくない場合は、閾値の上限を、相対的に低く設定することで、関与度レベルが、前記上限を超える投稿ユーザＰからの投稿を非表示とすることができる。また、初心者のユーザであっても、ベテランのユーザとのコミュニケーションを望んでいる場合は、閾値の上限を設定しない、または、閾値の上限を相対的に高く設定することで、ベテランのユーザからの投稿を受信することができる。
【００３０】
つぎに、本実施形態の表示制御方法について、図４を用いて説明する。図４は、前記表示制御方法の一例を示すフローチャートである。前記フローチャートにおいては、投稿を受信するユーザＲに対する投稿の出力として説明する。本実施形態の表示制御方法は、例えば、図１の表示制御装置１０を用いて、次のように実施できる。なお、本実施形態の表示制御方法は、図１の表示制御装置１０の使用には限定されない。
【００３１】
まず、ユーザごとに、コミュニティへの投稿に対する関与情報を取得する（Ｓ１０１）。前記関与情報は、例えば、表示制御装置１０または前記外部サーバ等からデータを読み出すことにより取得できる。なお、工程（Ｓ１０１）に先立ち、後述する投稿受信工程（Ｓ１０４）を実施し、工程（Ｓ１０４）において受信した投稿内容を、そのまま関与情報として用いてもよい。
【００３２】
つぎに、前記ポイント付与工程において、ポイント付与部１２により、前記関与情報から、前記ユーザにポイントを付与する（Ｓ１０２）。
【００３３】
前記関与度レベル決定工程において、関与度レベル決定部１３により、前記ユーザに付与された合計ポイントから、前記ユーザのコミュニティへの関与度レベルを決定する（Ｓ１０３）。
【００３４】
つぎに、投稿ユーザから、コミュニティへの投稿を受信する（Ｓ１０４）と、ユーザごとに、投稿の受信を認容する関与度レベルの前記閾値が、前記投稿ユーザの関与度レベルを満たすか否かを判定する（Ｓ１０５）。
【００３５】
そして、前記工程（Ｓ１０５）において、投稿の受信を認容する関与度レベルの前記閾値が、前記投稿ユーザの関与度レベルを満たす場合（ＹＥＳ）、出力工程において、出力部１５により、前記投稿ユーザからの投稿を出力し（Ｓ１０６）、終了する。一方、前記工程（Ｓ１０５）において、投稿の受信を認容する関与度レベルの前記閾値が、前記投稿ユーザの関与度レベルを満たさない場合（ＮＯ）は、前記投稿ユーザからの投稿は非出力として（Ｓ１０７）、終了する。
【００３６】
このように、本実施形態の表示制御方法によれば、コミュニティの投稿に対する関与情報に基づき前記ユーザの関与度レベルを決定し、前記関与度レベルに応じて、前記投稿を表示できる。これにより、前記ユーザに対し、所定の関与度レベルのユーザからの適切な投稿を表示できるため、前記ユーザ間のレベルの違いに起因する問題を解消でき、前記ユーザの前記コミュニティへの参加を継続させることができる。
【００３７】
［実施形態２］
本実施形態のプログラムは、前記各実施形態の表示制御方法を、コンピュータ上で実行可能なプログラムである。または、本実施形態のプログラムは、例えば、コンピュータ読み取り可能な記録媒体に記録されてもよい。前記記録媒体としては、特に限定されず、例えば、読み出し専用メモリ（ＲＯＭ）、ハードディスク（ＨＤ）、光ディスク、フロッピー（登録商標）ディスク（ＦＤ）等があげられる。
【００３８】
以上、実施形態を参照して本願発明を説明したが、本願発明は、上記実施形態に限定されるものではない。本願発明の構成や詳細には、本願発明のスコープ内で当業者が理解し得る様々な変更をすることができる。
【産業上の利用可能性】
【００３９】
本発明によれば、コミュニティの投稿に対するユーザの関与情報に基づき前記ユーザの関与度レベルを決定する。そして、前記ユーザにおける、投稿の受信を認容する関与度レベルの閾値が、投稿ユーザの関与度レベルを満たす場合に、前記ユーザに対し、前記投稿ユーザからの投稿が出力される。これにより、前記ユーザに対し、所定の関与度レベルの投稿ユーザからの適切な投稿を表示できるため、前記ユーザ間のレベルの違いに起因する問題を解消でき、前記ユーザの前記コミュニティへの参加を継続させることができる。
【符号の説明】
【００４０】
１０    表示制御装置
１１    ユーザ情報記憶部
１２    ポイント付与部
１３    関与度レベル決定部
１４    受信部
１５    出力部
２０    端末
３０    通信回線網
【図１】
2019175329.tif 000003
【図２】
2019175329.tif 000004
【図３】
2019175329.tif 000005
【図４】
2019175329.tif 000006